(57)【要約】【課題】装置の大型化を抑制しつつファンを内蔵することが可能な除電装置を提供する。【解決手段】ファンユニット１０Ｂが装置本体１０Ａに対して直交方向ｙ側に設けるようにして、当該ファンユニット１０Ｂが長手方向ｘ側に大きく突出しないようにしている。また、ファンユニット１０Ｂは、装置本体１０Ａの一端側に連結部６１を介して空洞部２１内に空気を送り込む構成である。【選択図】図１
2008140637.tif 000002
【特許請求の範囲】
【請求項１】
長尺状の装置本体と、
前記装置本体の長手方向に沿って一列状に配列される複数の放電針と、
前記複数の放電針の配列方向に沿って前記装置本体に形成されて通気路と、
前記通気路に空気を送り込むファンを有するファンユニットとを備え、
前記ファンからの空気が前記通気路を介して前記各放電針へ供給される除電装置。
【請求項２】
請求項１に記載の除電装置において、
前記ファンユニットは、前記複数の放電針の配列方向に直交する方向に配されている。
【請求項３】
請求項２に記載の除電装置において、
前記ファンユニットは、前記装置本体の長手方向における軸を中心として回動可能な連結部を介して前記装置本体に連結されている。
【請求項４】
請求項２または請求項３に記載の除電装置において、
前記ファンは、前記長手方向において前記装置本体の外側にはみ出ないよう配置されている。
【請求項５】
請求項３または請求項４に記載の除電装置において、
前記連結部には、前記装置本体に対する前記ファンユニットの回動範囲を所定の範囲に規制する規制部が設けられている。
【請求項６】
請求項３から請求項５のいずれか一項に記載の除電装置において、
前記連結部は、前記装置本体側に設けられ前記通気路に連通する中空部を有する固定部と、前記ファンユニット側に設けられ前記ファンに連通する中空部を有し前記固定部と回転可能に嵌合する回動部とを備え、
前記固定部及び前記回動部の前記中空部を介して前記ファンからの空気を前記通気路に送る構成され、
前記固定部と前記回動部との間にはＯリングが設けられている。
【請求項７】
請求項１から請求項６のいずれか一項に記載の除電装置において、
前記ファンの回転異常を検出する検出部と、
前記検出部で前記回転異常が検出されたことを条件に、当該回転異常を外部に報知する報知部と、を備える。
【請求項８】
請求項３から請求項６のいずれか一項に記載の除電装置において、
前記ファンの回転異常を検出する検出部と、
前記ファンユニット側に設けられ、前記検出部で前記回転異常が検出されたことを条件に点灯動作する表示灯と、を備える。
【請求項９】
請求項１から請求項８のいずれか一項に記載の除電装置において、
前記ファンの回転速度を調整する調整部を備える。
【請求項１０】
請求項３から請求項６、請求項８のいずれか一項に記載の除電装置において、
前記ファンの回転速度を調整する調整部と、
前記ファンユニット側に設けられ、前記調整部における調整値を設定する操作部とを備える。
【請求項１１】
請求項３から請求項６、請求項８、請求項１０のいずれか一項に記載の除電装置において、
前記装置本体と前記ファンユニットとがケーブルを介して電気的に接続されており、
前記ファンユニット側または前記装置本体側に設けられ、前記ケーブルを前記ファンユニット側または前記装置本体側に引き込む方向に付勢する付勢部材が設けられている。
【請求項１２】
請求項３から請求項６、請求項８、請求項１０、請求項１１のいずれか一項に記載の除電装置において、
外部の電源と電気的に接続されるコネクタが前記ファンユニット側に設けられている。
【請求項１３】
請求項３から請求項６、請求項８、請求項１０から請求項１２のいずれか一項に記載の除電装置において、
電源投入の入り切りを行うスイッチが前記ファンユニット側に設けられている。
【請求項１４】
請求項１から請求項１３のいずれか一項に記載の除電装置において、
前記ファンユニットには、フィルタを着脱可能に収容する収容部が開口形成され、当該収容部にカバーが着脱可能に装着される。
【発明の詳細な説明】
【技術分野】
【０００１】
本発明は、除電装置に関する。
【背景技術】
【０００２】
除電装置は、放電針を備え、この放電針に高電圧を印加してコロナ放電を発生させて正負のイオンを生成する。そして、この正負のイオンをファンからの送風によって帯電体に吹き付けることで当該帯電体を電気的に中和する役割を果たす。そして、特許文献１には、ファンを内蔵した除電装置が開示されている。具体的には、一列状に配列された複数の放電針の背後に吹き出し口が開口形成され、この吹き出す口の奥側にファンが配置されている。
【特許文献１】特開２００２−１５１２９３公報
【発明の開示】
【発明が解決しようとする課題】
【０００３】
しかしながら、特許文献１の除電装置は、一列状に配列された複数の放電針の全体に対応した大きな吹き出し口を開口形成して、ここから空気を各放電針に送る構成となっている。従って、放電針の数が多くなればなるほど、吹き出し口も大きくする必要があり、この大きな吹き出し口を介して各放電針に所定量の空気流を送るには、それに応じたパワー、大きさのファンが必要となるといった問題があった。
【０００４】
本発明は上記のような事情に基づいて完成されたものであって、その目的は、装置の大型化を抑制しつつファンを内蔵することが可能な除電装置を提供するところにある。
【課題を解決するための手段】
【０００５】
上記の目的を達成するための手段として、第１の発明に係る除電装置は、長尺状の装置本体と、前記装置本体の長手方向に沿って一列状に配列される複数の放電針と、前記複数の放電針の配列方向に沿って前記装置本体に形成されて通気路と、前記通気路に空気を送り込むファンを有するファンユニットとを備え、前記ファンからの空気が前記通気路を介して前記各放電針へ供給される。
【０００６】
第２の発明は、第１の除電装置において、前記ファンユニットは、前記複数の放電針の配列方向に直交する方向に配されている。
【０００７】
第３の発明は、第２の除電装置において、前記ファンユニットは、前記装置本体の長手方向における軸を中心として回動可能な連結部を介して前記装置本体に連結されている。
【０００８】
第４の発明は、第２または第３の除電装置において、前記ファンは、前記長手方向において前記装置本体の外側にはみ出ないよう配置されている。
【０００９】
第５の発明は、第３または第４の除電装置において、前記連結部には、前記装置本体に対する前記ファンユニットの回動範囲を所定の範囲に規制する規制部が設けられている。
【００１０】
第６の発明は、第３から第５のいずれか一つの除電装置において、前記連結部は、前記装置本体側に設けられ前記通気路に連通する中空部を有する固定部と、前記ファンユニット側に設けられ前記ファンに連通する中空部を有し前記固定部と回転可能に嵌合する回動部とを備え、前記固定部及び前記回動部の前記中空部を介して前記ファンからの空気を前記通気路に送る構成され、前記固定部と前記回動部との間にはＯリングが設けられている。
【００１１】
第７の発明は、第１から第６のいずれか一つの除電装置において、前記ファンの回転異常を検出する検出部と、前記検出部で前記回転異常が検出されたことを条件に、当該回転異常を外部に報知する報知部と、を備える。
【００１２】
第８の発明は、第３から第６のいずれか一つの除電装置において、前記ファンの回転異常を検出する検出部と、前記ファンユニット側に設けられ、前記検出部で前記回転異常が検出されたことを条件に点灯動作する表示灯と、を備える。
【００１３】
第９の発明は、第１から第８のいずれか一つの除電装置において、前記ファンの回転速度を調整する調整部を備える。
【００１４】
第１０の発明は、第３から第６、第８のいずれか一つの除電装置において、前記ファンの回転速度を調整する調整部と、前記ファンユニット側に設けられ、前記調整部における調整値を設定する操作部とを備える。
【００１５】
第１１の発明は、第３から第６、第８、第１０のいずれか一つの除電装置において、前記装置本体と前記ファンユニットとがケーブルを介して電気的に接続されており、前記ファンユニット側または前記装置本体側に設けられ、前記ケーブルを前記ファンユニット側または前記装置本体側に引き込む方向に付勢する付勢部材が設けられている。
【００１６】
第１２の発明は、第３から第６、第８、第１０、第１１のいずれか一つの除電装置において、外部の電源と電気的に接続されるコネクタと、電源投入の入り切りを行うスイッチとが、前記ファンユニット側に設けられている。
【００１７】
第１３の発明は、第３から第６、第８、第１０から第１２のいずれか一項に記載の除電装置において、電源投入の入り切りを行うスイッチが前記ファンユニット側に設けられている。
【００１８】
第１４の発明は、第１から第１３のいずれか一つの除電装置において、前記ファンユニットは、フィルタを収容可能に開口した収容部と、当該収容部に着脱可能に装着されるカバーとを備えて構成されている。
【発明の効果】
【００１９】
＜第１の発明＞
本発明によれば、ファンユニットは、通気路に対して所定箇所から空気を送り込むことで当該通気路に沿って空気を流して各放電針側に送る構成であるから、放電針の数に応じて吹き出し口が大きくなることを抑えて、装置の大型化を抑制できる。
【００２０】
＜第２の発明＞
ファンユニットは、複数の放電針に対し、その配列方向に直交する方向に配されている。従って、ファンユニットを、複数の放電針に対してその配列方向に配した構成に比べて、当該配列方向における装置の大型化を抑制することができる。
【００２１】
＜第３の発明＞
本発明によれば、装置本体に対するファンユニットの位置を設定箇所に応じて変更することができる。
【００２２】
＜第４の発明＞
本発明によれば、長手方向においてファンが装置本体からはみ出ないから、ファンを設けることで長手方向における寸法が大きくなることを抑制できる。
【００２３】
＜第５の発明＞
本発明によれば、例えば装置本体のうちイオンを外部に放出するための放出口が配置された側面側など、ファンユニットを配置すべきでない位置に回動されることを防止できる。
【００２４】
＜第６の発明＞
本発明によれば、固定部と回動部との間にＯリングを設けることで、回動を可能としつつ連結部における空気漏れを防止できる。
【００２５】
＜第７の発明＞
本発明によれば、報知部の報知動作によりファンの回転異常を知ることができる。
【００２６】
＜第８の発明＞
本発明によれば、報知部としての表示灯がファンユニット側に設けられている。従って、このファンユニットを回動させることで、表示灯を例えば作業者にとって見易い位置に移動させることができる。
【００２７】
＜第９の発明＞
本発明によれば、ファンの回転速度の調整によって送風量を可変にすることができるから、例えば除電対象物のサイズや、除電対象物までの距離などに応じて適量な送風量で除電を行うことができる。
【００２８】
＜第１０の発明＞
本発明によれば、調整部における調整値を設定する操作部がファンユニット側に設けられている。従って、このファンユニットを回動させることで、操作部を例えば作業者にとって作業し易い位置に移動させることができる。
【００２９】
＜第１１の発明＞
本発明によれば、ケーブルが、ファンユニット側、または、装置本体側に引き込まれるように弾性的に付勢されているから、ケーブルが外部に大きく撓んで例えばイオン放出の妨げとなることを防止できる。
【００３０】
＜第１２の発明＞
本発明によれば、電源用のコネクタがファンユニット側に設けられているから、当該ファンユニットを回動させることにより、コネクタを適切な位置に移動させることができる。
【００３１】
＜第１３の発明＞
本発明によれば、電源用のスイッチがファンユニット側に設けられているから、当該ファンユニットを回動させることにより、スイッチを適切な位置に移動させることができる。
【００３２】
＜第１４の発明＞
本発明によれば、カバーを取り外すだけで簡単にフィルタの交換ができる。
【発明を実施するための最良の形態】
【００３３】
本発明の一実施形態を図１〜図１５を参照しつつ説明する。
【００３４】
１．除電装置の構成
図１に示すように、本実施形態の除電装置１０は、所定方向に長く延びた通気路に空気を送り込むことで、一列状に配列された各放電針側に空気を流す、いわゆるバータイプの除電装置である。具体的には、除電装置１０は、放電針３０等を有する装置本体１０Ａと、ファン６０を有するファンユニット１０Ｂとを備えて構成されている。
【００３５】
（１）装置本体
装置本体１０Ａは、正の高電圧が印加される放電針３０と負の高電圧が印加される放電針３０とを備えた、いわゆる直流電圧印加タイプのものである。具体的には、図２，３に示すように、装置本体１０Ａは、棒状、より具体的には角筒状の本体ケース１１を備え、図示しない除電対象物（例えば製造ラインで搬送される回路チップなど）の上方に配される。当該本体ケース１１内にその長手方向（各図でｘ方向。「放電針の配列方向」の一例）に沿って一列状に複数本（本実施形態では、１２本）の放電針３０が配列されている。各放電針３０に高電圧を印加することでコロナ放電を発生させ、これにより生成された正負のイオンが、各放電針３０の近傍に形成された各イオン放出口１５を介して上記除電対象物に吹き付けられて除電が行われる。なお、図２，３は、装置本体１０Ａの上面カバーを外した状態を示す。
【００３６】
本実施形態では、後述するように正極性の高電圧が印加されて正イオンを生成させる正イオン用放電針３１と、負極性の高電圧が印加されて負イオンを生成させる負イオン用放電針３２とが交互に位置するようにして例えば全１２本の放電針３０が配列されている。互いに隣り合う１対の正イオン用放電針３１及び負イオン用放電針３２は、共通のホルダ４０によって保持され、このホルダ４０が本体ケース１１から各図ｙ方向（「配列方向に直交する方向」の一例）に沿って個別に着脱できるようになっている（図２参照）。
【００３７】
ａ．本体ケース
本体ケース１１は、一側面側及び長手方向の両端部が開放した長箱形のベース部１２と、そのベース部１２と対向する一側面側及び長手方向の両端部が開放した長箱形のカバー１３と、ベース部１２及びカバー１３を組み付けた状態でそれらの両端部を塞ぐように固着される１対のキャップ１４，１４とから構成されている。ベース部１２、カバー１３及びキャップ１４は、いずれも樹脂製であって、特にカバー１３は、例えば導電性樹脂（例えばポリカーボネート）で形成されている。
【００３８】
カバー１３のうち開放した側とは反対側の側壁１３Ａには、その長手方向ｘに沿って複数個（例えば本実施形態では６個）のイオン放出口１５が所定間隔を隔てて開口形成されている。各イオン放出口１５は、本体ケース１１の長手方向ｘに沿って長く延びた長孔とされている。除電装置１０の使用時には、この側壁１３Ａの表面が除電対象物側に向けられる除電面とされる。また、図４に示すように、側壁１３Ａの裏面側には、各イオン放出口１５に対応して複数枚（本実施形態では６枚）の絶縁部材としての絶縁基板１６が配されている。具体的には、各絶縁基板１６は、全体として長手方向ｘに長く延びた長方形をなし、各イオン放出口１５の一部分（略３分の２）に沿ったＣ字形の切り欠き部１６Ａが形成されている。
【００３９】
そして、各絶縁基板１６には、上記側壁１３Ａ裏面と対向する面側に、導体パターン１７が形成されている。各絶縁基板１６には、その長手方向ｘの両端側に貫通孔が形成されており、この貫通孔を通してネジ１８がカバー１３のネジ孔１３Ｅに螺合されることで、各絶縁基板１６がカバー１３の裏側に固定されている。また、互いに隣り合う絶縁基板１６同士は、熱収縮自在の信号ケーブル１９（例えば架橋ポリエチレン）を介して互いに導体パターン１７同士が電気的に接続されている。そして、例えば長手方向ｘの一方端に位置する絶縁基板１６の導体パターンが図示しないグランド線に電気的に接続され、これにより全ての絶縁基板１６上の導体パターンがグランドレベルに接地されることになり、各導体パターン１７が「対向電極」としての役割を果たす。
【００４０】
また、カバー１３において、上記側壁１３Ａを挟む１対の側壁１３Ｂ、１３Ｃのうち一方の側壁１３Ｂは、断面Ｌ字形とされ、上記側壁１３Ａより一段下がった段差部１３Ｄが形成されており、この側壁１３Ａと段差部１３Ｄとを繋ぐ側壁部分に、図５に示すように、ホルダ４０の着脱を行うための複数（本実施形態では６個）のホルダ取り外し口２０が開口形成されている。より具体的には、ホルダ取り外し口２０は、全体として横長の矩形状をなし、両端よりやや内側のそれぞれの位置に側壁１３Ａ側に突出した部分（以下、「突出部分２０Ａ」という）を有する。ホルダ４０の着脱時には、当該ホルダ４０から突出した１対の正イオン用放電針３１及び負イオン用放電針３２の針先が、各突出部分２０Ａを通過することになる。
【００４１】
図６は、カバー１３及び後述する放電ユニット４１を取り外した状態を示す除電装置の斜視図である。図３に示すように、ベース部１２の底部には、長手方向ｘに伸びる空洞部２１が設けられており、ここに一方のキャップ１４に開口形成された供給口２２を介して外部から空気流が送られる。そして、この空洞部２１と上方空間とを仕切る仕切り壁２３の上に次述する放電ユニット４１が設けられる。なお、仕切り壁２３には、ホルダ装着部材４２を固定するためのリベット５５が通される挿通孔２３Ａと、空気出力部５３に連通する連通孔２３Ｂが貫通形成されている。
【００４２】
ｂ．放電ユニット
図７は、ホルダ４０がホルダ装着部材４２に装着された状態を示す放電ユニット４１の斜視図であり、図８，９は、ホルダ４０がホルダ装着部材４２から取り外された状態を示す放電ユニット４１の斜視図である。
【００４３】
各ホルダ４０は、上述したように１対の正イオン用放電針３１及び負イオン用放電針３２を保持する。各ホルダ４０は、先端部に放電針３１，３２をそれぞれ保持する突出部４３，４３の基端側が結合部４４によって結合されると共に、各突出部４３，４３の先端部には折り返すようにアーム部４５，４５が延設され、各アーム部４５，４５の各先端に摘み部４６，４６がそれぞれ設けられている。これらの１対の摘み部４６，４６の間に、隙間を介して結合部４４が介在し、これらの結合部４４及び摘み部４６は、図１，２に示すように、ホルダ４０を本体ケース１１に装着した状態で外部に露出して除電装置１０の外面の一部を構成する。各アーム部４５のうち撓み部４６寄りの位置には、外側に突出した係止爪部４７が一体的に形成されている。
【００４４】
両摘み部４６，４６には、人の指先が挿入可能な窪み部４６Ａが形成されており、ここに例えば親指と人差し指とを挿入して挟み込むと、両アーム部４５，４５が内側に撓み変形して上記両係止爪部４７，４７の距離が狭まるようになっている。なお、ホルダ４０は、例えば放電針３１，３２を保持した状態で金型内に樹脂を流し込んで一体的に樹脂成形されたものであり、放電針３１，３２は、その針先が上方（長手方向ｘ及び装着方向ｙに直交する方向）に突出するとともに、基端部が下方に突出した状態で埋設されている。
【００４５】
ホルダ装着部材４２は、本体ケース１１内において上記仕切り壁２３上に固定される。ホルダ装着部材４２は、上記仕切り壁２３に装着される装着部５０の両端側からそれぞれホルダ係止部５１，５１が延設され、両係止部５１，５１には、互いの対向側に、上記ホルダ４０の各アーム部４５が挿入される挿入溝５１Ａ，５１Ａが形成されている。そして、各挿入溝５１Ａ内には、上記アーム部５１の係止爪部４７と係合する係合孔５２が貫通形成されている。
【００４６】
また、両係止部５１，５１の間には、空気出力部５３が装着部５０を貫通した状態で設けられている。より具体的には、空気出力部５３は、円筒形をなし、本実施形態では、各放電針３０ごとに１本ずつ設けられ、長手方向ｘに沿って配列されている。この空気出力部５３の下側には、Ｏリング５４が環着され、装着部５０を例えばリベット５５，５５にて仕切り壁２３に固定することで、Ｏリング５４により密閉性が保たれた状態で、空気出力部５３が空洞部２１に連通する（図３参照）。そして、空洞部２１内に供給された空気流は、空気出力部５３を介して各放電針３０の近傍を通過しつつ、当該放電針３０にて生成されたイオンをイオン放出口１５から外部に放出させる役割を果たす。従って、空洞部２１から空気出力部５３を介してイオン放出口１５に至るまでの経路が、「通気路」の一例である。
【００４７】
また、本体ケース１１内には、長手方向ｘに伸びる１対の電源線Ｌ１、Ｌ２が上記装着部５０を挟んで設けられている。このうち一方の電源線Ｌ１は、正極性の高電圧を正イオン用放電針３１に印加する電源線であり、この電源線Ｌ１が、正イオン用放電針３１の基端部と接触する接触端子としての板バネ５６と電気的に接続されている。他方の電源線Ｌ２は、負極性の高電圧を負イオン用放電針３２に印加する電源線であり、この電源線Ｌ２が、負イオン用放電針３２の基端部と接触する接触端子としての板バネ５７と電気的に接続されている。
【００４８】
ホルダ４０を本体ケース１１に装着するには、図１に示すように、両摘み部４６，４６を指で挟み込みつつホルダ４０を着脱方向ｙに沿ってホルダ取り外し口２０を介して挿入する。このとき、両アーム部４５，４５が両係止部５１，５１の挿入溝５１Ａに沿ってそれぞれ本体ケース１１の奥側まで案内される。その後、指を離すことで、両アーム部４５，４５が復元変形し、各係止爪部４７が各係合孔５２に係合し、これにより、ホルダ４０が本体ケース内に位置決め固定される。このとき、正イオン用放電針３１は板バネ５６を弾性変形させつつ当該板バネ５６と接触し、負イオン用放電針３２は板バネ５７を弾性変形させつつ当該板バネ５７と接触する。これにより、放電針３１，３２と、板バネ５６，５７との電気的接続を確実なものとすることができる。
【００４９】
（２）ファンユニット
ファンユニット１０Ｂは、上記装置本体１０Ａ内の空洞部２１内に空気を送り込むファン６０を内蔵している。また、ファンユニット１０Ｂは、装置本体１０Ａの一端側において、当該装置本体１０Ａに対して上記直交方向ｙ側に隣接配置される。更に、ファンユニット１０Ｂは、装置本体１０Ａの周りを所定の範囲内で回動可能とされつつ、装置本体１０Ａに連結されている。
【００５０】
図１０はファンユニット１０Ｂ部分を拡大した斜視図であり、図１１はファンユニット１０Ｂの内部を示した平面図であり、図１２は連結部を構成する各部品の斜視図である。図１０に示すように、ファンユニット１０Ｂは、全体として矩形箱形をなし、その一側面から、装置本体１０Ａに回動可能に連結される連結部６１が突出した状態で設けられている。
【００５１】
ファンユニット１０Ｂは、上記連結部６１と面一となる外面６２（「配列方向における端面」の一例）に電源用のスイッチ６３と、図示しない電源ケーブルが接続されるコネクタ６４と、表示灯６５（「報知部」の一例）が設けられている。なお、コネクタ６４は、スイッチ６３が設けられた外面６２よりも一段内側に凹んだ面との段差部分に設けられ、先端部が直交方向ｙに向けられている。これにより、コネクタ６４は上記外面６２から突出しないようになっている。
【００５２】
また、ファンユニット１０Ｂの表面には、スリット状の通気孔６６が複数設けられたフィルタカバー６７が係合爪７０等によって着脱可能に設けられている。フィルタカバー６７は、長手方向ｘに沿ってスライドさせることにより着脱可能とされている。そして、このフィルタカバー６７を外すと、図１３に示すように、収容部６８内に収容されたフィルタ６９が露出し、これによりフィルタ６９の交換が可能となる。更に、ファンユニット１０Ｂの表面には、図示しない冶具（例えばドライバ）を挿入可能な挿入孔７１が設けられ、その奥側に上記冶具により回転される操作子７２（「操作部」の一例）が設けられている。
【００５３】
ファン６０は、非接触の空気動体軸受を採用した公知の構成である。このようなファン６０を用いれば、ベアリング軸受を採用したファンに比べ、効率よくファンを回転駆動させることができる。また、軸受け部が非接触のため、ファンの寿命も長く、除電装置１０の製品寿命の長期化にも繋がる。ファン６０には、導出管７４が導出され、ここから空気流が送り出されるようになっている。そして、図１１，１２に示すように、導出管７４と装置本体１０Ａの空洞部２１とを繋ぐものがＬ字管７５（「回動部」の一例）である。このＬ字管７５は、その一端側が上記導出管７４に連結される一方で、その他端側が装置本体１０Ａの一端側に被せられた上記キャップ１４（「固定部」の一例）の供給口２２（「中空部」の一例）に回転可能に連結されている。これにより、ファンユニット１０Ｂは、Ｌ字管７５を軸に装置本体１０Ａの周りを回転できるようになる。
【００５４】
また、上記Ｌ字管７５は、図１２に示すような回転規制管７６（「規制部」の一例）に挿入された後に、上記キャップ１４の供給口２２に連結されている。この回転規制管７６は、装置本体１０Ａに対するファンユニット１０Ｂの回転範囲を所定の範囲に規制するためのものである。具体的には、回転規制管７６は、装置本体１０Ａのキャップ１４に宛がわれる一方端の端面に規制突起７７が突出形成されている。また、当該一方端側には、テーパ部７８が全周に亘って連続的に形成されており、当該テーパ部７８にＯリング７９が嵌合されている。また、回転規制管７６の他方端側は、Ｕ字形の切り欠き部８０が形成されており、この切り欠き部８０に上記Ｌ字管７５が挿入され、その先端部が回転規制管７６内に挿入されてキャップ１４に連結される。従って、回転規制管７６は、Ｌ字管７５と共に回転する。
【００５５】
図１４は、ファンユニット１０Ｂが連結される側のキャップ１４を、ファンユニット１０Ｂ側から見た正面図である。このキャップ１４は、上記Ｌ字管７５の先端部が回転可能に連結される供給口２２が貫通形成されている。また、キャップ１４は、上記供給口２２の周りには一段沈んだ凹部８３があり、ここに円弧状の規制溝８２が形成されている。回転規制管７６は、上記規制突起７７が規制溝８２内に挿入されつつ、先端部が上記凹部８３内に嵌められる。このとき、回転規制管７６は、互いに連結されたキャップ１４とＬ字管７５との間に挟み込まれる。これにより、上記Ｏリング７９がキャップ１４の凹部８３と回転規制管７６のテーパ部７８との間に挟み込まれるため、当該Ｏリング７９によってキャップ１４とＬ字管７５とが密閉状態で回転可能に連結される。
【００５６】
また、上記規制突起７７と規制溝８２とによって装置本体１０Ａに対するファンユニット１０Ｂの回動範囲が規制されている。具体的には、本実施形態では、ファンユニット１０Ｂが、除電面の前方に位置しないように回動範囲が規制されている。これは、ファンユニット１０Ｂによってイオン放出口１５からのイオン放出の障害にならないようにするためである。
【００５７】
図１０に示すように、連結部６１の外面６２側には挿通孔８４が形成されており、この挿通孔８４から上記回転規制管７６が突出している。そして、この回転規制管７６の突出端に回転防止キャップ８５が締め付けられることで、連結部６１がより強くキャップ１４に押し付けられる。これにより、ファンユニット１０Ｂを装置本体１０Ａに対して所定の回動位置で固定できる。
【００５８】
更に、上記コネクタ６４から供給される電力は、ファンユニット１０Ｂ内の制御基板８６に供給され、この制御基板８６からケーブル８７（図１１のみ図示し、他の図面では省略）を介して装置本体１０Ａ内の図示しない回路基板に供給される。具体的には、図１１に示すように、上記ケーブル８７は、ファン６０の形状に沿って引き回されている。ファンユニット１０Ｂには、装置本体１０Ａとの対向部分に挿通孔８８が貫通形成されており、ここから上記ケーブル８７の先端が導出され、装置本体１０Ａ内へと導かれる。
【００５９】
ここで、ファンユニット１０Ｂ内にはバネ８９（「付勢部材」の一例）が設けられており、このバネ８９は一端がファンユニット１０Ｂ内の所定箇所に固定され、他端がケーブル８７に固定されている。このような構成により、ケーブル８７には、バネ８９の付勢力によってファンユニット１０Ｂ内に引き込む力が働くため、ファンユニット１０Ｂの回動位置に応じてケーブル８７の引き出し長さが伸縮するため、ケーブル８７が例えば外部に大きく撓んでイオン放出口１５からのイオン放出の障害になることを防止することができる。
【００６０】
２．ファンユニットの電気的構成
図１５には、ファンユニット１０Ｂの電気的構成を模式的に示すブロック図である。ファン６０は、駆動モータ９０によって回転され、この駆動モータ９０は所定時間当たりの回転数に応じたパルス信号を出力し、これを回転数検出回路９１で検出する。この回転数検出回路９１の検出結果は、比較器９２に与えられると共に、制御回路９３にも与えられる。比較器９２では、上記検出結果と目標値とを大小比較し、その差に応じた信号を制御回路９３にフィードバックする。そして、制御回路９３は、検出結果と目標値との差が小さくなるように駆動モータ９０の回転速度を制御する。なお、ボリウム９４は、上記操作子７２の回転に応じて上記目標値を変更する役割を果たす。これにより、ファン６０の回転速度を調整することができる。このとき、ボリウム９４、比較器９２及び制御回路９３が「調整部」の一例として機能する。
【００６１】
また、制御回路９３（「検出部」の一例）は、回転数検出回路９１からの検出結果に基づき、ファン６０の回転速度が所定の閾値よりも下回ったときに回転異常が発生したとみなして、表示灯６５に所定の点灯パターンを実行させる。これにより、作業者は回転異常が起きたことを知ることができる。
【００６２】
３．本実施形態の効果
本実施形態によれば、ファンユニット１０Ｂが装置本体１０Ａに対して直交方向ｙ側に設けるようにして、当該ファンユニット１０Ｂが長手方向ｘ側に大きく突出しないようにしている。また、ファンユニット１０Ｂは、装置本体１０Ａの一端側に連結部６１を介して空洞部２１内に空気を送り込む構成であるから、放電針３０の数の増加に伴ってファンユニット１０Ｂが大型化することを抑制できる。
【００６３】
また、ファンユニット１０Ｂは、装置本体１０Ａを中心に回動可能とされている。従って、除電装置１０の設置箇所に応じてファンユニット１０Ｂの位置を変更することができる。しかも、このファンユニット１０Ｂ側に、コネクタ６４、スイッチ６３、表示灯６５及び操作子７２を設けた。従って、作業者が作業し易く、見易い位置にファンユニット１０Ｂを回動させることができ、作業効率を向上させることができる。
【００６４】
＜他の実施形態＞
本発明は上記記述及び図面によって説明した実施形態に限定されるものではなく、例えば次のような実施形態も本発明の技術的範囲に含まれる。
（１）上記実施形態では、ファンユニット１０Ｂは、装置本体１０Ａの周りを回動可能とされていたが、所定の位置、例えばイオン放出口１５からのイオン放出の妨げにならない位置に固定された構成であってもよい。
【００６５】
（２）上記実施形態では、ファンユニット１０Ｂ側にバネ８９を設けてケーブル８７をファンユニット１０Ｂ内に引き込む構成としたが、これに限らず、例えば装置本体１０Ａ側に付勢部材を設けて、この付勢力によってケーブルを装置本体１０Ａ内に引き込む構成であってもよい。
【００６６】
（３）上記実施形態では、報知部として表示灯６５を設けた構成としたが、例えばスピーカ等の発音装置の音声による報知であってもよい。また、上位機器に異常信号を出力することにより報知する構成であってもよい。
【００６７】
（４）上記実施形態では、ファンユニット１０Ｂは、空洞部２１（通気路）の末端側に形成された供給口２２から空気を送り込む構成としたが、これに限らず、通気路に沿って空気を流す構成であれば、その通気路の所定箇所（末端に限らず、略中央よりの位置）に供給口を形成して、この供給口から空気を送り込むことで通気路に沿って空気を流して放電針側に送り込む構成であってもよい。
【図面の簡単な説明】
【００６８】
【図１】本発明の一実施形態に係る除電装置を示す平面図
【図２】装置本体を示す斜視図
【図３】図１のＡ−Ａ破断面における本体ケースの断面図
【図４】カバーを裏側から見た斜視図
【図５】カバーのホルダ取り外し口を示した平面図
【図６】カバー及び放電ユニットを取り外した状態を示す除電装置の斜視図
【図７】ホルダがホルダ装着部材に装着された状態を示す放電ユニットの斜視図
【図８】ホルダがホルダ装着部材から取り外された状態を示す放電ユニットの上側斜視図
【図９】ホルダがホルダ装着部材から取り外された状態を示す放電ユニットの下側斜視図
【図１０】ファンユニット部分を拡大した斜視図
【図１１】ファンユニットの内部を示した平面図
【図１２】連結部を構成する各部品の斜視図
【図１３】フィルタカバーを外した状態を示すファンユニットの斜視図
【図１４】キャップの正面図
【図１５】ファンユニットのブロック図
【符号の説明】
【００６９】
１０…除電装置
１０Ａ…装置本体
１０Ｂ…ファンユニット
１４…キャップ（固定部）
２２…供給口（中空部）
３０（３１，３２）…放電針
６０…ファン
６２…外面（配列方向における端面）
６３…スイッチ
６４…コネクタ
６５…表示灯（報知部）
６７…フィルタカバー
６８…収容部
６９…フィルタ
７２…操作子（操作部）
７５…Ｌ字管（回動部）
７６…回転規制管（規制部）
７９…Ｏリング
８７…ケーブル
８９…バネ（付勢部材）
９３…制御回路（検出部）
【図１】
2008140637.tif 000003
【図２】
2008140637.tif 000004
【図３】
2008140637.tif 000005
【図４】
2008140637.tif 000006
【図５】
2008140637.tif 000007
【図６】
2008140637.tif 000008
【図７】
2008140637.tif 000009
【図８】
2008140637.tif 000010
【図９】
2008140637.tif 000011
【図１０】
2008140637.tif 000012
【図１１】
2008140637.tif 000013
【図１２】
2008140637.tif 000014
【図１３】
2008140637.tif 000015
【図１４】
2008140637.tif 000016
【図１５】
2008140637.tif 000017